(57)【特許請求の範囲】
【請求項１】
茎葉を切断したビート畝列群の外側に沿ってトラクタ（２）を走行させるとともに、トラクタタイヤ（３ｂ）、（４ｂ）の外側を走行させたハーベスタタイヤ（６ｂ）の前方内側に掘上げ装置（８）を、前方外側に茎葉切断装置（７）を内外並列に配置したハーベスタ（５）を前記トラクタの後方に連結し、前記ハーベスタタイヤ（６ｂ）前方の内側の掘上げ装置（８）で茎葉切断済みのビートを掘取るとともに、同ハーベスタタイヤ（６ｂ）前方の外側の茎葉切断装置（７）で外側畝列のビート茎葉を切断することを特徴とするビート収穫方法
【請求項２】
茎葉を切断したビート畝列群の外側に沿って走行するトラクタ（２）に牽引されるビートハーベスタ（５）であって、トラクタタイヤ（３ｂ）、（４ｂ）の走行軌道の外側ビート畝列を跨いで走行するハーベスタタイヤ（６ｂ）を有し、該ハーベスタタイヤ（６ｂ）の前方に、該タイヤの内側のビート畝列に対応する掘上げ装置（８）と、ハーベスタタイヤ（６ｂ）の外側のビート畝列に対応するビート茎葉切断装置（７）とを左右並列に配設したことを特徴とする、請求項１記載のビート収穫方法に使用されるビートハーベスタ
【発明の詳細な説明】
【技術分野】
【０００１】
本発明はトラクタ等の牽引車に接続して使用されるビートベスタのビート収穫方法及びこの方法に使用されるビート収穫装置に関し、特に、ビート収穫時の茎葉切断精度を高め、収穫作業効率を向上させる収穫方法及び装置に関する。
【背景技術】
【０００２】
牽引式ビートハーベスタを使用して広い圃場のビートを収穫する場合、ビート掘取りの前処理として畝列のビート頂部の茎葉を切断しておく必要から、ビートハーベスタには一般にビート茎葉切断装置とビート掘り上げ装置が具備されている。
【０００３】
従来のこの種のビート収穫装置には、後述の非特許文献１に対応する本願図５に示すように、圃場内の２本のビート畝列１ａ及び１ｂを跨いで先行するトラクタ２の前後・左右のタイヤ３ａ、３ｂ及び４ａ、４ｂの真後ろに、一側（進行方向右側）のタイヤ走行軌道を共通にするタイヤ６ｂを有するハーベスタ５を牽引フレーム１１で連結するとともに、このハーベスタ５の左右タイヤ６ａ、６ｂ間の前方に、前記ビート畝列１ａ、１ｂに各自に対応する茎葉切断装置７と掘上げ装置８を並列に取付け、一方でビート茎葉１０ａを切断しながら他方で茎葉切断済みビート９を掘取る構造のものが知られている。
【０００４】
ところが、上記図５の公知技術は、トラクタ２の一側タイヤ３ｂ、４ｂ及びハーベスタ５の一側タイヤ６ｂは茎葉切断前のビート畝列１ｂ、１ｃ間を走行するため、図６に示すように、ビート９の頂部付近の茎葉を踏みつけることになり、踏みつけられた茎葉１０ｂは切断装置７が通過しても取り残されてしまい、面倒な後処理作業が必要になるという不都合があった。
【０００５】
他方、非特許文献２に対応する本願図７に示すように、ビート畝列群１ａ、１ｂの外側にトラクタ２を走行させ、ハーベスタ５のタイヤ６ｂ前方に茎葉切断装置７と堀上げ装置８を１本のビート畝列１ａに対応して前後縦列に配置したハーベスタを前記トラクタ２の後方に連結したものが知られている。
【０００６】
図７の公知技術は、トラクタ２とハーベスタ５の間に茎葉切断装置７と堀上げ装置８が前後長手方向に連設されるため、トラクタ２の先端からハーベスタ５の後端までの全長が長くなることから、ビート収穫装置の旋回作業性が低下するだけでなく、トラクタ運転席からは堀上げ装置８が茎葉切断装置７の後方に隠れてしまい、目視できなくなるという問題があった。
【先行技術文献】
【非特許文献】
【０００７】
【非特許文献１】日農機製工株式会社発行  ２０１４年総合カタログ
【非特許文献２】Oy Juko Limited(Finland)、REFLEX Engineering Limited(U.K)   ２０１１年１月発行  カタログ「JUKO」
【発明の概要】
【発明が解決しようとする課題】
【０００８】
したがって、本発明の目的は、収穫装置の旋回作業性を損なうことなくビート茎葉切断精度を向上させ、もってビート収穫作業の効率化を図ることができるビート収穫方法及び装置を提供することにある。  
【課題を解決するための手段】
【０００９】
上記の目的を達成するために本発明のビート収穫方法は、茎葉を切断したビート畝列群の外側に沿ってトラクタを走行させるとともに、トラクタタイヤの外側を走行させたハーベスタタイヤの前方内側に掘上げ装置を、前方外側に茎葉切断装置を内外並列に配置したハーベスタを前記トラクタの後方に連結し、前記ハーベスタタイヤ前方の内側の掘上げ装置で茎葉切断済みのビートを掘取るとともに、同ハーベスタタイヤ前方の外側の茎葉切断装置で外側畝列のビート茎葉を切断することを特徴とする。
【００１０】
上記の目的を達成するために本発明の牽引式ビート収穫装置は、茎葉を切断したビート畝列群の外側に沿って走行するトラクタに牽引されるビートハーベスタであって、トラクタタイヤの走行軌道の外側ビート畝列を跨いで走行するハーベスタタイヤを有し、該ハーベスタタイヤの前方に、該タイヤの内側のビート畝列に対応する掘上げ装置と、ハーベスタタイヤの外側のビート畝列に対応するビート茎葉切断装置を左右並列に配設したことを特徴とする。
【００１１】
すなわち本発明は、トラクタタイヤ及びハーベスタタイヤのいずれもがビート列の未切断茎葉の近傍を通過しないようすることを目的としてハーベスタタイヤの前方外側に茎葉切断装置を配置したものである。
【発明の効果】
【００１２】
本発明の牽引式ビート収穫装置及び装置は、トラクタタイヤ及びハーベスタタイヤのいずれもが走行中にビート畝列の未切断茎葉に接触しないのでタイヤによる茎葉の踏みつけがなくなり、茎葉の切断精度が向上し、切り残しの後処理が不要になる。
【００１３】
また、ハーベスタタイヤ前方掘上げ装置と茎葉切断装置が並列に配置されているので収穫装置の前長を短く保持できる。従って、旋回作業等の操作に支障をきたすことがない。
さらに、掘上げ装置と茎葉切断装置が並列に配置され、且つ、トラクタの真後ろではなく右後方に臨めるので掘上げ作業及び茎葉切断作業を黙視することができ、使い勝手がよくなる。
【図面の簡単な説明】
【００１４】
【図１】本発明によるビート収穫方法及び装置の作用説明図
【図２】本発明のビート収穫方法に使用されるビート収穫装置の斜視図
【図３】本発明のビート収穫方法に使用されるビート収穫装置の正面図
【図４】茎葉切断装置の１例を示す斜視図
【図５】公知例によるビート収穫方法及び装置の作用説明図
【図６】進行方向から見た図５の要部断面図
【図７】他の公知例によるビート収穫方法及び装置の作用説明図
【発明を実施するための形態】
【００１５】
以下、本発明の実施例を添付の図面に基づいて説明する。
図１ないし図４は本発明の一実施例を示すもので、図１に示すように、ビートハーベスタ５を牽引するトラクタ２などの牽引車のビート畝列寄りのトラクタタイヤ３ｂ、４ｂがビート畝列群の外側に沿って走行し、これにより、トラクタタイヤ３ｂ、４ｂが圃場内にあるビート９の茎葉１０ａを踏みつけないようにしてある。
【００１６】
他方、トラクタ２に牽引されるビートハーベスタ５は、ビート畝列１ａに沿って走行するトラクタタイヤ３ｂ、４ｂの外側へ突出し、外側畝列１ａを跨いでビート畝列１ａ、１ｂ間を走行するハーベスタタイヤ６ｂを有している。
本発明はハーベスタ５のタイヤ６ｂを隣接のビート畝列１ａを跨ぐようにしてトラクタ２の走行軌道外側へ張り出させたうえで、このハーベスタタイヤ６ｂの前方に、タイヤ６ｂの内側畝列１ａに対応するビート掘上げ装置８と、タイヤ６ｂの外側畝列１ｂに対応する茎葉切断装置７を左右並列に配設し、この構成によりビートハーベスタ５のタイヤ６ｂが茎葉に接触しないようにしてある。
【００１７】
図２、図３は本発明のビートハーベスタ５の詳細を示すもので、ハーベスタタイヤ６ｂの前方外側に切取り刃７´を備えた茎葉切断装置７が設けられているとともに、ハーベスタタイヤ６ｂの内側に掘上げ装置８が前記茎葉切断装置７と並列に設けられている。
かくして、本発明のビートハーベスタ５はトラクタ２に牽引されて走行する過程で、未切断茎葉に折衝することなく外側ハーベスタタイヤ６ｂ前方の内側の掘上げビート装置８で茎葉切断済みビート畝列１ａのビート９を掘り取るとともに、外側の茎葉切断装置７で隣接ビート畝列１ｂのビート茎葉１０ａを切り取って行くようになっている。
【００１８】
ビート掘上げ装置７先端の掘り取り口で掘り取られたビート９は、チェーンベルト１２でハーベスタの後方へ搬送する過程でビートの土や枯れ葉がふるい落とされながら後部の揚送機１３を介して架台上のビートホッパー１４へ投入される。なお、図中、符号１５の部材は畝列上の枯れ葉を吹き飛ばすクリーナーである。
【００１９】
図４の実施例の茎葉切断装置７は３点リンク１６とバネ１７で弾力的に上下変位して畝上を転動する支持体１８の下部に切取り刃７´を固定したカッパー型を例示しているが、チョッパー型その他の切断装置を用いることもできる。
【００２０】
図１の実施例は圃場における２周目以降のビート収穫状態を示すもので、この状態ではトラクタ２のタイヤ３ｂ、４ｂの最接近のビート畝列１ａは既に茎葉が切断されている。
【００２１】
なお、図の実施例ではハーベスタタイヤ６ｂの前方の内側と外側に各１基の掘上げ装置８と茎葉切断装置７を並列配置したハーベスタを例示したが、本発明はこれに限定されるものではなく、ハーベスタタイヤ６ｂの前方の内側と外側に複数基の掘上げ装置８と茎葉切断装置７を並列配置し、各複数畝列を同時に処理するようにした構成を包含するものである。
【産業上の利用可能性】
【００２２】
圃場のビート収穫において茎葉精度を上げ、収穫作業の効率化に役立つ。
【符号の説明】
【００２３】
１ａ、１ｂ、１ｃ…ビート畝列
２…トラクタ
３ａ、３ｂ…トラクタ前輪タイヤ
４ａ、４ｂ…トラクタ後輪タイヤ
５…ビートハーベスタ
６ａ、６ｂ…ハーベスタタイヤ
７…茎葉切断装置
７´…切断刃
８…掘上げ装置
９…ビート
１０ａ…ビート茎葉
１０ｂ…踏みつけられた茎葉
１１…牽引フレーム
１２…チェーンベルト
１３…揚送機
１４…ホッパー
１５…クリーナー
１６…３点リンク
１７…バネ
１８…支持体
【要約】
【課題】ビートの茎葉切断精度を改善し、あわせて、ハーベスタ走行タイヤ前方の左右両側でビート掘上げ作業と茎葉切断作業を並列的に行えるようにする。
【解決手段】トラクタタイヤをビート畝列群の外側に沿って走行させる。トラクタに牽引されるビートハーベスタの走行タイヤを前記ビート畝列群の少なくとも１列を跨ぐようにしてトラクタタイヤの外側へ突出させるとともに、このハーベスタタイヤの前方に、該タイヤの内側畝列に対応するビート掘上げ装置と、該タイヤの外側畝列に対応する茎葉切断装置を左右並列に配設する。
【選択図】図１【図１】
0005769329.tif 000002
【図２】
0005769329.tif 000003
【図３】
0005769329.tif 000004
【図４】
0005769329.tif 000005
【図５】
0005769329.tif 000006
【図６】
0005769329.tif 000007
【図７】
0005769329.tif 000008